(57)【要約】【課題】引戸を操作する室内外の引手を相互にワンタッチで取り付けられるようにしたものであって、引戸が収縮しても引手が、がたつくことのない引手装置を提供する。【解決手段】引戸２の厚さ方向一側面と他側面とにそれぞれ配置された引手１Ａ，１Ｂを備え、一方の取付部材１Ａに設けられた係合部１３の弾性片１６を他方の取付部材１Ｂに設けられた被係合部１４に係合させることにより、一対の引手１Ａ，１Ｂが引戸２の厚さ方向に移動可能で且つ弾性片１６の復元力によって相互に引き寄せられるようにして引戸２に取り付けられるように構成する。【選択図】図１
2005188255.tif 000002
【特許請求の範囲】
【請求項１】
板状の被取付部材（２）の厚さ方向一側面と他側面とにそれぞれ配置された取付部材（１Ａ，１Ｂ）を備え、一方の取付部材（１Ａ）に設けられた係合部（１３）を他方の取付部材（１Ｂ）に設けられた被係合部（１４）に係合させることにより、一対の取付部材（１Ａ，１Ｂ）が被取付部材（２）の厚さ方向に移動可能で且つ相互に引き寄せられるようにして被取付部材（２）に取り付けられることを特徴とする二部材の取付機構。
【請求項２】
係合部（１３）は弾性片（１６，１３）を有し、この弾性片（１６，１３）が被係合部（１４）に係合して弾性変形すると共に該弾性片（１６，１３）の弾性復元力により、一対の取付部材（１Ａ，１Ｂ）が相互に引き寄せられるように構成されていることを特徴とする請求項１に記載の二部材の取付機構。
【請求項３】
係合部（１３）は、一対の弾性片（１６）を有するねじりコイルバネによって構成され、被係合部（１４）には該ねじりコイルバネの弾性片（１６）を挿通させることにより係合するガイド孔（２１）が形成され、このガイド孔（２１）に一対の弾性片（１６）を挿通させる際に該一対の弾性片（１６）を相互に近接するように弾性変形させるガイド面（２２）がガイド孔（２１）に形成されており、一対の弾性片（１６）が相互に離反する方向に戻ろうとする弾性復元力により一対の取付部材（１Ａ，１Ｂ）が相互に引き寄せられるように構成されていることを特徴とする請求項１又は２に記載の二部材の取付機構。
【請求項４】
被係合部（１４）には、一方の取付部材（１Ａ）と他方の取付部材（１Ｂ）とを相互に近接させることにより弾性片（１３）を弾性変形させるように該弾性片（１３）の接当部位（２４）をガイドする第１のガイド面（２５）と、弾性片（１３）の接当部位（２４）がこの第１のガイド面（２５）を通過した後に弾性片（１３）の復元力により一対の取付部材（１Ａ，１Ｂ）が相互に引き寄せられるように弾性片（１３）の接当部位（２４）をガイドする第２のガイド面（２６）とを有することを特徴とする請求項２に記載の二部材の取付機構。
【請求項５】
取付部材（１Ａ，１Ｂ）が引手であり、被取付部材（２）が引戸であることを特徴とする請求項１〜４のいずれかに記載の二部材の取付機構。
【発明の詳細な説明】
【技術分野】
【０００１】
本発明は、引手等の取付部材を引戸等の被取付部材にワンタッチで取り付けられるようにした二部材の取付機構に関するものである。
【背景技術】
【０００２】
従来、引戸の厚さ方向一側面と他側面とにそれぞれ配置された引手の一方に設けられた係合部を、他方の引手に設けられた被係合部に係合させることにより、両引手をワンタッチで引戸に取り付けられるようにしたものがある。
【特許文献１】特開平０９−３０３００４号公報
【特許文献２】特開平０９−３０３００６号公報
【発明の開示】
【発明が解決しようとする課題】
【０００３】
引戸は冬場において収縮する（夏場に対して約１ｍｍ程度収縮する）が、前記従来の引手の取付構造にあっては、引戸が収縮すると引手が「がたつく」という問題がある。
そこで、本発明は、前記問題点に鑑みて、引手等の取付部材を引戸等の被取付部材にワンタッチで取り付けられるようにしたものにおいて、被取付部材の収縮に対応して取付部材が自動的に調整されるようにした二部材の取付機構を提供することを目的とする。
【課題を解決するための手段】
【０００４】
本発明が前記目的を達成するために講じた技術的手段は、板状の被取付部材の厚さ方向一側面と他側面とにそれぞれ配置された取付部材を備え、一方の取付部材に設けられた係合部を他方の取付部材に設けられた被係合部に係合させることにより、一対の取付部材が被取付部材の厚さ方向に移動可能で且つ相互に引き寄せられるようにして被取付部材に取り付けられることを特徴とする。
また、係合部は弾性片を有し、この弾性片が被係合部に係合して弾性変形すると共に該弾性片の弾性復元力により、一対の取付部材が相互に引き寄せられるように構成されているのがよい。
【０００５】
また、係合部は、一対の弾性片を有するねじりコイルバネによって構成され、被係合部には該ねじりコイルバネの弾性片を挿通させることにより係合するガイド孔が形成され、このガイド孔に一対の弾性片を挿通させる際に該一対の弾性片を相互に近接するように弾性変形させるガイド面がガイド孔に形成されており、一対の弾性片が相互に離反する方向に戻ろうとする弾性復元力により一対の取付部材が相互に引き寄せられるように構成されているのがよい。
また、被係合部には、一方の取付部材と他方の取付部材とを相互に近接させることにより弾性片を弾性変形させるように該弾性片の接当部位をガイドする第１のガイド面と、弾性片の接当部位がこの第１のガイド面を通過した後に弾性片の復元力により一対の取付部材が相互に引き寄せるように弾性片の接当部位をガイドする第２のガイド面とを有するのがよい。
【０００６】
また、取付部材が引手であり、被取付部材が引戸であるのがよい。
【発明の効果】
【０００７】
本発明によれば、一対の取付部材が被取付部材の厚さ方向に移動可能で且つ相互に引き寄せられるように被取付部材に取り付けられることにより、被取付部材が収縮しても、取付部材は相互に引き寄せられる方向に移動して自動的に調整され、取付部材が、がたつくことがない。
【発明を実施するための最良の形態】
【０００８】
以下、本発明の実施の形態を図面を参照して説明する。
図１〜図６は本発明の第１の実施形態を示し、本実施の形態では、取付部材として引手１Ａ，１Ｂが例示され、板状の被取付部材として引戸２が例示されている。
図１〜図６において、引手１Ａ，１Ｂは、引戸２の開閉方向（前後方向という）閉じ側の端部側において、引戸２の厚さ方向（左右方向という）一側面と他側面とに配置されており、引戸２の引手１Ａ，１Ｂが取り付けられる部位には左右方向に貫通状に形成された挿通孔３が形成されている。
【０００９】
左右の各引手１Ａ，１Ｂは、引戸２に形成した前記挿通孔３に没入状に挿入された引手本体４と、この引手本体４の左右方向外面側の縁部全縁から引戸２の表面に沿って延設されていて該引戸２の表面に面接触するフランジ部５とを有し、これら引手本体４とフランジ部５とは樹脂によって一体形成されている。
引手本体４は、側壁部６と、この側壁部６の縁部から左右方向外方（引手１Ａ，１Ｂの背面から正面に向かう方向）に延びる上下壁部７，８及び前後壁部９，１０とから構成されていて、左右方向外面側（引手１Ａ，１Ｂの正面側）に左右方向外方から内方（引手１Ａ，１Ｂの正面から背面に向かう方向）に向けて凹設状とされた、手を掛けるための凹部１１を備えている。
【００１０】
また、引手本体４の上壁部７の左右方向外方側には、フランジ部５の背面から一体的に突出して挿通孔３の内面上面側に接当する接当壁１２が形成されており、また、引手本体４の下壁部８の左右方向外方側にも、同様に挿通孔３の内面下面側に接当する接当壁１２が形成されており、この上下の接当壁１２によって引手１Ａ，１Ｂの上下方向の位置決めがなされ、左右の引手１Ａ，１Ｂの接当壁１２の間が、後述する係合部１３と被係合部１４との収容空間とされている。
また、引手１Ａ，１Ｂの前後方向の位置決めは、引手本体４の前後壁部９，１０が挿通孔３の内面の前後面に接当することによりなされている。
【００１１】
一方の引手１Ａ（例えば室内側の引手）には係合部１３が設けられ、他方の引手１Ｂ（例えば、室外側の引手）には被係合部１４が設けられており、係合部１３を被係合部１４に係合させることにより、一対の引手１Ａ，１Ｂが引戸２の厚さ方向に移動可能で且つ相互に引き寄せられるように引戸２に取り付けられるように構成されている。
前記係合部１３は、本実施の形態にあっては、コイル部１５と、該コイル部１５の一端側及び他端側から延びる一対の弾性片１６とを有するねじりコイルバネによって構成されており、一方の引手１Ａの引手本体４の上壁部７上面側及び下壁部８下面側にそれぞれ配置されている。
【００１２】
なお、係合部１３としては、ねじりコイルバネに限定されることはなく、板バネ、樹脂バネ又はその他のバネ部材等によって構成されていてもよい。
一方の引手１Ａの引手本体４の上壁部７上面側及び下壁部８下面側には、それぞれねじりコイルバネ１３のコイル部１５を収容する収容部１７が形成され、各収容部１７は、上下方向外方及び左右方向内方に開放状とされた凹部によって構成されており、各収容部１７の内面の前後方向の対向面１７Ａは、左右方向内方に向かうに従って拡開するＶ字形に形成されている。
【００１３】
また、各収容部１７の左右方向外方側には上下方向の軸心を有する支軸１８が、上下壁部７，８から上下方向外方に向けて突出状に設けられており、この支軸１８にねじりコイルバネ１３のコイル部１５が外嵌されており、ねじりコイルバネ１３の弾性片１６は収容部１７から左右方向内方に向けて突出されている。
また、前後一対の弾性片１６は、左右方向内方に向かうに従って前後方向に拡開するＶ字形を呈しており、各弾性片１６の端部には、円弧状に巻回して形成された接当部１９が設けられている。
【００１４】
なお、ねじりコイルバネ１３は、一対の弾性片１６が相互に近接する方向に弾性変形された状態で収容部１７に収容されるのが、がたつき防止の点で好ましい。
また、一方の引手１Ａの引手本体４の上壁部７上面側及び下壁部８下面側には、収容部１７の上下方向外方側の開口部分を閉塞するように配置された閉塞部材２０が設けられ、この閉塞部材２０によってねじりコイルバネ１３のコイル部１５が抜け止めされている。
この閉塞部材２０は一方の引手１Ａの引手本体４の上壁部７上面側又は下壁部８下面側に接着剤等によって固定されるが、該閉塞部材２０は、該引手本体４の上壁部７上面側又は下壁部８下面側にビス等によって着脱自在に取り付けられるようにしてもよく、閉塞部材２０を着脱自在に取り付け可能とすることにより、ねじりコイルバネ１３の交換が可能とされ、弾性片１６の長さの異なるねじりコイルバネ１３を選択的に取り付けることができ、厚さの異なる引戸２に対して広範囲に対応することができる。
【００１５】
前記被係合部１４は、他方の引手１Ｂの引手本体４の上壁部７上面側及び下壁部８下面側の左右方向内方側寄りにそれぞれ設けられており、上側の被係合部１４は該引手本体４の上壁部７から上方に突出状とされ、下側の被係合部１４は該引手本体４の下壁部８から下方に突出状とされている。
また、各被係合部１４には、前記ねじりコイルバネ１３の弾性片１６が挿通されることにより係合するガイド孔２１が左右方向貫通状に形成されている。
このガイド孔２１の内面の前後方向で対向する面には、左右方向内方側の端部から左右方向外方側に向かうに従って対向間隔が漸次狭くなるように形成されたガイド面２２が形成されており、このガイド孔２１の前後方向で対向する面の、左右方向外方側部位２３は、前後のガイド面２２の左右方向外端部の間隔と同じ間隔に形成されている。
【００１６】
なお、ガイド孔２１は、その前後方向で対向する面が、左右方向内端側から左右方向外端に亘って対向間隔が漸次狭くなるように形成されていてもよい。
前記構成の引手装置にあっては、例えば、一方の引手１Ａの引手本体４を引戸２の挿通孔３に挿入し、その後、図４（ａ）に示すように、他方の引手１Ｂのガイド孔２１の左右のガイド面２２にねじりコイルバネ１３の左右の弾性片１６の接当部１９が接当するように位置合わせして他方の引手１Ｂを挿通孔３に押し込む。
すると、一対の弾性片１６は、ガイド面２２に案内されて相互に近接する方向に弾性変形しながらガイド孔２１に対して挿通され、この一対の弾性片１６が相互に離反する（拡開する）方向に戻ろうとする弾性復元力により、引手１Ａ，１Ｂ同士が相互に引きつけられて引戸２に固定される。
【００１７】
また、両引手１Ａ，１Ｂは個々に左右方向に移動可能であり、且つ、ねじりコイルバネ１３の付勢力によって相互に引き寄せられる方向に付勢されているので、引戸２が収縮した場合、ねじりコイルバネ１３の付勢力によって両引手１Ａ，１Ｂの左右方向の間隔が自動的に狭まり、引手１Ａ，１Ｂが、がたつくことはない。
また、引戸２が膨張した場合にあっては、ねじりコイルバネ１３の付勢力に抗して両引手１Ａ，１Ｂの左右方向の間隔が広がり、引戸２の膨張に対応できる。
また、一対の弾性片１６がガイド孔２１に挿通された状態で、両引手１Ａ，１Ｂは個々に左右方向に移動可能であるので、例えば、２７ｍｍ〜３３ｍｍといった厚さの異なる引戸２に対しても良好に取り付けられる。
【００１８】
また、この範囲以外の板厚の引戸２に対しては、前述したように、弾性片１６の長さの異なるねじりコイルバネ１３に交換することにより、対応することができる。
また、不要になった場合は、両引手１Ａ，１Ｂをねじりコイルバネ１３の弾性力に抗して引き離す方向に強制的に移動させることにより、戸２や引手１Ａ，１Ｂを破壊することなく戸２から引手１Ａ，１Ｂを取り外すことができ、又再度の使用も可能である。
なお、前述した引手１Ａ，１Ｂの取付手順は一例を示しており、他方の引手１Ｂの引手本体４を先に挿通孔３に挿通させてもよく、また、両方の引手１Ａ，１Ｂの引手本体４を同時に挿通孔３に挿通させるようにしてもよい。
【００１９】
図７及び図８は本発明の第２の実施形態を示し、係合部１３は一方の引手１Ａの樹脂製の引手本体４の上壁部７及び下壁部８から左右方向内方側に向けて一体的に延出された樹脂製の弾性片から構成されている。
各弾性片１３は左右方向内方に向かうに従って上下方向内方に移行する傾斜状とされている。
また、各弾性片１３の先端部の上下方向内方側には、接当部２４が膨出形成されている。
【００２０】
被係合部１４は、他方の引手１Ｂの引手本体４の上壁部７上面側及び下壁部８下面側にそれぞれ設けられ、上側の被係合部１４の上面、下側の被係合部１４の下面には、それぞれ左右方向内方側の第１のガイド面２５と、左右方向外方側の第２のガイド面２６とが左右方向で連続状に形成されている。
第１のガイド面２５は左右方向内端部から左右方向外方に向かうに従って上下方向外方に移行する傾斜面に形成され、第２のガイド面２６は第１のガイド面２５の左右方向外端部から左右方向外方に向かうに従って上下方向内方に移行する傾斜状に形成されている。
【００２１】
また、前記第１のガイド面２５は第２のガイド面２６よりも急傾斜で左右方向に短く形成されている。
その他の構成は前記第１の実施形態と略同様に構成される。
前記構成の引手装置にあっては、引手１Ａ，１Ｂ同士を相互に近接させることにより、図８（ａ）に示すように、各弾性片１３の接当部２４が被係合部１４の第１のガイド面２５上を摺動して（第１のガイド面２５によってガイドされて）各弾性片１３が上下方向外方側に弾性変形し（上下一対の弾性片１３が拡開するように弾性変形し）、そして、図８（ｂ）に示すように、弾性片１３の接当部２４が第１のガイド面２５を通過して第２のガイド面２６に移ると、弾性片１３が復元する力により第２のガイド面２６が押圧され、第２のガイド面２６は第１のガイド面２５の左右方向外端部から左右方向外方に向かうに従って上下方向内方に移行する傾斜状に形成されていることから、第２のガイド面２６によって接当部２４がガイドされて、一方の引手１Ａと他方の引手１Ｂが相互に引き寄せられて引戸２に固定される。
【００２２】
なお、この第２の実施形態にあっても、弾性片１３を引手本体４と別体で形成して該引手本体４に対して着脱自在（交換可能）に取り付けるようにしてもよい。
図９〜図１１は第３の実施形態に係る一方の引手１Ａを示している。
この第３の実施形態は、第１の実施形態と同様に係合部１３としてねじりコイルバネが採用されており、このねじりコイルバネ１３の着脱（交換）をワンタッチで簡単に行えるように構成したものである。
この実施形態にあっては、前記第１の実施形態のように、コイル部１５の収容部１２からの離脱を阻止する閉塞部材２０は設けられておらず、ねじりコイルバネ１３のコイル部１５を収容する収容部１７の左右方向内方側で且つ上下方向外方側に、コイル部１５が支軸１８から抜けるのを阻止すべく（コイル部１５が収容部１７から上下方向外方側に離脱するのを阻止すべく）弾性片１６に係合（接当）する前後一対の抜止め部２８が形成されている。
【００２３】
前後各抜止め部２８は、収容部１７の前後の各面から前後方向内方に延出されていると共に、前後の抜止め部２８間には、隙間２９が設けられている。
その他の構成は、前記第１の実施の形態と略同様に構成されるので同符号を付して説明を省略する。
この第３の実施形態にあっては、一対の弾性片１６を相互に近接させるように弾性変形させることにより、該弾性片１６が抜止め部２８から外れて隙間２９を通過可能となるように構成されており、この状態で、上下の各ねじりコイルバネ１３のコイル部１５は支軸１８から上下方向外方に抜脱可能とされている（コイル部１５が収容部１７から上下方向外方に離脱可能とされており）。
【００２４】
したがって、第３の本実施の形態では、一対の弾性片１６を相互に近接させるように弾性変形させることで、ねじりコイルバネ１３を簡単に取り外せると共に簡単に取り付けることができ、ねじりコイルバネ１３を簡単に交換できる。
なお、本発明は、前記各実施の形態に限定されることはなく、例えば、係合部１３と被係合部１４とは、各引手１Ａ，１Ｂに少なくとも１つ設けられていればよい。
また、引手１Ａ，１Ｂは、樹脂の他、アルミや亜鉛等の金属材料等によっても形成でき、また、射出成形の他、ダイカストやプレス等によって成形できる。
【００２５】
また、引手１Ａ，１Ｂは、撮みを有する引手、レバーハンドル式の引手等であってもよい。
また、係合部１３と被係合部１４とは、引手本体４の前又は後側、前及び後側に設けられてもよい。
また、本発明は、引手の取り付けに採用されるのに限定されることはなく、板状の被取付部材の厚さ方向一側面と他側面に配置された一対の取付部材をワンタッチで取り付けるものに採用できる。
【図面の簡単な説明】
【００２６】
【図１】図２のＡ−Ａ線矢示断面図である。
【図２】引戸の厚さ方向の一側面を示す図である。
【図３】図２のＢ−Ｂ線矢示断面図である。
【図４】引手を取り付ける際のねじりコイルバネの作用状態を示す断面図である。
【図５】第１の実施形態に係る一方の引手の正面図、側面図及び平面図である。
【図６】第１の実施形態に係る他方の引手の正面図、側面図及び平面図である。
【図７】第２の実施形態に係る引手の側面図及び平面である。
【図８】第２の実施形態に係る引手を取り付ける際の作用状態を示す側面図である。
【図９】第３の実施の形態に係る一方の引手の背面図である。
【図１０】図９のＣ−Ｃ線矢示断面図である。
【図１１】図９のＤ−Ｄ線矢示断面図である。
【符号の説明】
【００２７】
１Ａ    引手
１Ｂ    引手
２      引戸
１３      係合部（弾性片）
１４      被係合部
１６      弾性片
２１      ガイド孔
２２      ガイド面
２４      接当部
２５      第１のガイド面
２６      第２のガイド面
【図１】
2005188255.tif 000003
【図２】
2005188255.tif 000004
【図３】
2005188255.tif 000005
【図４】
2005188255.tif 000006
【図５】
2005188255.tif 000007
【図６】
2005188255.tif 000008
【図７】
2005188255.tif 000009
【図８】
2005188255.tif 000010
【図９】
2005188255.tif 000011
【図１０】
2005188255.tif 000012
【図１１】
2005188255.tif 000013